(57)【特許請求の範囲】
【請求項１】
上方に開口された収容室、及び上記開口の後方において上記収容室から後方に延びる通水路が内部に区画された曳舟本体と、
前後方向に離間した第１位置及び第２位置の間を上記曳舟本体に対して相対移動可能で、且つ前後方向の後端部を回動中心として上記開口を開放する開放姿勢及び上記開口を閉塞する閉塞姿勢の間を回動可能な蓋体と、
上記蓋体の前端部に設けられ、上記蓋体が上記閉塞姿勢で且つ上記第１位置のときに上記曳舟本体に係合し、上記蓋体が上記第２位置のときに上記曳舟本体との係合が解除されるロック部と、
上記蓋体の後端部に設けられ、上記蓋体を上記第１位置に拘束する拘束状態、及び上記蓋体の前後方向の移動を許容する許容状態に状態変化が可能な操作部と、を備える鮎釣用曳舟。
【請求項２】
上記第２位置及び上記開放姿勢に向けて上記蓋体を弾性的に付勢する付勢部材をさらに備える請求項１に記載の鮎釣用曳舟。
【請求項３】
上記蓋体を回動可能に支持し、且つ前後方向に移動可能に上記曳舟本体に支持された回動軸をさらに備えており、
上記操作部は、上記回動軸に回動可能に支持されており、
上記回動軸より後方に位置する上記操作部の回動先端部は、
上記拘束状態において、上記曳舟本体に係止され、
上記許容状態において、上記曳舟本体に対する係止が解除される請求項１又は２に記載の鮎釣用曳舟。
【請求項４】
上記曳舟本体は、上記通水路の上端を画定する上壁を有しており、
上記操作部は、
上記拘束状態において、上記上壁に設けられた切欠きを通じて上記通水路に露出され、
上記許容状態において、上記上壁から上方に突出される請求項３に記載の鮎釣用曳舟。
【発明の詳細な説明】
【技術分野】
【０００１】
この発明は、鮎釣りの際にオトリとして使用される鮎を保管する曳舟の構造に関するものである。
【背景技術】
【０００２】
いわゆる友釣り（鮎釣り）では、釣人は鮎釣用曳舟（以下、「曳舟」と称される。）を携行する（たとえば特許文献１参照）。図１１及び図１２に示されるように、従来の曳舟１は、曳舟本体２の上面に蓋３が設けられており、この蓋３は、ヒンジ４を中心に回動することによって開閉する。実釣においておとり鮎が交換される場合や、納竿時に曳舟に収容された鮎がオトリ缶に入れ替えられる場合に、釣人は、図１２に示されるように、蓋３を開放する。
【０００３】
ただし、実釣において曳舟１は、一般に釣人の身体に係留され川面に浮かんでいるから、釣人が意図しないときに蓋３が開いてしまうことが防止されなければならない。そのため、従来の曳舟１は、蓋３のロック機構５を備えている。このロック機構５は、図１２に示されるように、蓋３の先端側（ヒンジ４が設けられた側と反対側）に配置されている。釣人は、このロック機構５を操作してロックを解除し、蓋３を開く。
【先行技術文献】
【特許文献】
【０００４】
【特許文献１】特開２００７−１１０９５７号公報
【発明の概要】
【発明が解決しようとする課題】
【０００５】
水面に曳舟１が浮かんでいる状態では、曳舟１が水に支えられているから、釣人は、比較的容易に片手でロック機構５のロックを解除し、蓋３を開けることができる。しかし、たとえば納竿時に、曳舟１に収容された鮎をオトリ缶に入れ替える場合には、釣人は、まず曳舟１の後部に設けられた凹部６（水抜孔）に手を掛けて曳舟１を持ち上げ、川から曳舟１を引き上げる。その後に釣人は、蓋３を開放して曳舟１を傾けることにより、曳舟１に収容された鮎をオトリ缶に移す。
【０００６】
ところで、この作業を行うときに釣人は、一方の手で曳舟１を把持しているから、当該手でロック機構５を操作することができない。つまり、釣人は、他方の手でロック機構５を操作しなければならず、曳舟１に収容された鮎をオトリ缶に移すために両手が必要になる。
【０００７】
鮎釣では、釣人は釣竿、オトリ缶、曳舟、タックルケース等々を携帯し且つ釣場を移動しなければならないため、釣人にとっては曳舟１から鮎をオトリ缶に移す作業は片手で行いたいという要請がある。
【０００８】
この発明は、かかる背景のもとになされたものであって、その目的は、釣人が曳舟本体に手を掛けて持ち上げた状態であっても、当該手で蓋の開閉を行うことができる鮎釣用曳舟を提供することである。
【課題を解決するための手段】
【０００９】
(1)  本発明に係る鮎釣用曳舟は、上方に開口された収容室、及び上記開口の後方において上記収容室から後方に延びる通水路が内部に区画された曳舟本体と、前後方向に離間した第１位置及び第２位置の間を上記曳舟本体に対して相対移動可能で、且つ前後方向の後端部を回動中心として上記開口を開放する開放姿勢及び上記開口を閉塞する閉塞姿勢の間を回動可能な蓋体と、上記蓋体の前端部に設けられ、上記蓋体が上記閉塞姿勢で且つ上記第１位置のときに上記曳舟本体に係合し、上記蓋体が上記第２位置のときに上記曳舟本体との係合が解除されるロック部と、上記蓋体の後端部に設けられ、上記蓋体を上記第１位置に拘束する拘束状態、及び上記蓋体の前後方向の移動を許容する許容状態に状態変化が可能な操作部とを備える。
【００１０】
上記構成によれば、鮎釣用曳舟を持ち上げる際に把持部となり得る通水路と操作部とが近接して配置されているので、釣人は、通水路を区画する上壁を把持した手で操作部を操作することができる。これにより、釣人が曳舟本体に手を掛けて持ち上げた状態であっても、当該手で蓋体の開閉を行うことができる。
【００１１】
(2)  好ましくは、該鮎釣用曳舟は、上記第２位置及び上記開放姿勢に向けて上記蓋体を弾性的に付勢する付勢部材をさらに備える。
【００１２】
上記構成によれば、操作部を拘束状態から許容状態に状態変化させる操作のみによって、蓋体が第１位置から第２位置に移動されると共に、閉塞姿勢から開放姿勢に回動される。すなわち、簡単な操作で開口を開放することができる。
【００１３】
(3)  好ましくは、該鮎釣用曳舟は、上記蓋体を回動可能に支持し、且つ前後方向に移動可能に上記曳舟本体に支持された回動軸をさらに備える。上記操作部は、上記回動軸に回動可能に支持されている。上記回動軸より後方に位置する上記操作部の回動先端部は、上記拘束状態において、上記曳舟本体に係止され、上記許容状態において、上記曳舟本体に対する係止が解除される。
【００１４】
上記構成によれば、操作部を拘束状態に保持することができるので、意図せずに蓋体が開放されることを抑制できる。
【００１５】
(4)  好ましくは、上記曳舟本体は、上記通水路の上端を画定する上壁を有する。上記操作部は、上記拘束状態において、上記上壁に設けられた切欠きを通じて上記通水路に露出され、上記許容状態において、上記上壁から上方に突出される。
【００１６】
上記構成によれば、通水路に露出された操作部を押し上げる操作で開口が開放され、蓋体を閉塞姿勢に回動させ且つ上方に突出された操作部を押し下げる操作で開口が閉塞される。すなわち、簡単な操作で開口を開閉することができる。
【発明の効果】
【００１７】
この発明によれば、鮎釣用曳舟を持ち上げる際に把持部となり得る通水孔と操作部とを近接して配置したので、釣人が曳舟本体に手を掛けて持ち上げた状態であっても、当該手で蓋の開閉を行うことができる。
【図面の簡単な説明】
【００１８】
【図１】図１は、本実施形態に係る鮎釣用曳舟１０の前方斜視図であって、蓋体１４を閉塞姿勢にした状態を示す。
【図２】図２は、本実施形態に係る鮎釣用曳舟１０の後方斜視図であって、蓋体１４を閉塞姿勢にした状態を示す。
【図３】図３は、本実施形態に係る鮎釣用曳舟１０の前方斜視図であって、蓋体を開放姿勢にした状態を示する。
【図４】図４は、鮎釣用曳舟１０及び蓋体１４の分解斜視図である。
【図５】図５は、後方位置で且つ閉塞姿勢の蓋体１４、及び拘束状態の操作部４５を含む鮎釣用曳舟１０の縦断面図である。
【図６】図６は、前方位置で且つ閉塞姿勢の蓋体１４、及び許容状態の操作部４５を含む鮎釣用曳舟１０の縦断面図である。
【図７】図７は、変形例に係る鮎釣用曳舟１０Ａの前方斜視図であって、蓋体１４を閉塞姿勢にした状態を示す。
【図８】図８は、変形例に係る鮎釣用曳舟１０Ａの前方斜視図であって、蓋体１４を開放姿勢にした状態を示す。
【図９】図９は、変形例に係る曳舟本体１１の要部拡大断面図であって、ロック部５０を第１姿勢にし、安全カバー２８を倒伏姿勢にした状態を示す。
【図１０】図１０は、変形例に係る曳舟本体１１の要部拡大断面図であって、ロック部５０を第２姿勢にし、安全カバー２８を起立姿勢にした状態を示す。
【図１１】図１１は、従来の一般的な曳舟の後方斜視図である。
【図１２】図１２は、従来の一般的な曳舟の後方斜視図である。
【発明を実施するための形態】
【００１９】
以下、本発明の好ましい実施形態が、適宜図面が参照されながら説明される。なお、本実施の形態は、本発明に係る鮎釣用曳舟の一態様にすぎず、本発明の要旨を変更しない範囲で実施態様が変更されてもよいことは言うまでもない。
【００２０】
図１〜図３は、本発明の一実施形態に係る鮎釣用曳舟１０の斜視図である。
【００２１】
［鮎釣用曳舟１０］
【００２２】
この鮎釣用曳舟１０は、鮎釣りの際にオトリとして使用される鮎を生きたまま保存するためのものである。鮎釣用曳舟１０は、実釣中に釣人の身体等に係留され、川面に浮かべられる。鮎釣用曳舟１０は、曳舟本体１１と、図示されていない係留ロープとを備えている。この係留ロープの一端部は、曳舟本体１１の船首に設けられたロープアンカー１２に連結され、他端部が例えば釣人の腰部に繋がれる。
【００２３】
［曳舟本体１１］
【００２４】
曳舟本体１１は、ボート状の外観を呈し、例えば、アクリロニトリルブタジエンスチレン共重合体（ＡＢＳ）、アクリル、ポリプロピレン（ＰＰ）、ポリカーボネート（ＰＣ）等の樹脂から構成される。本実施形態における曳舟本体１１は、下部本体３５及び上部本体３６を有し、これらが上下方向に嵌め合わされている。両者が嵌め合わされる位置は、同図において、パーティングラインＮ１で示されている。
【００２５】
図３に示されるように、曳舟本体１１の内部は空洞になっている。この空洞は、鮎を収容する収容室３７を構成する。すなわち、収容室３７は、曳舟本体１１の内部に区画されている。また、曳舟本体１１の上面１３に開口３８が設けられている。この開口３８は、収容室３７を曳舟本体１１の外部に連通させる。すなわち、収容室３７は、上方に開口されている。
【００２６】
曳舟本体１１は、図１〜図３に示されるように、通水路１７、給水孔２０〜２２、及び排水孔２３〜２５を備えている。これらは、曳舟本体１１の内部と連通している。したがって、この鮎釣用曳舟１０が川面に浮かべられると、通水路１７及び給水孔２０〜２２を通じて水が曳舟本体１１の内部、すなわち収容室３７に進入する。また、収容室３７内の水は、通水路１７及び排水孔２３〜２５を通じて排出される。なお、収容室３７に水が進入した場合であっても、鮎釣用曳舟１０が沈没しないように曳舟本体１１の浮力が設定されている。
【００２７】
通水路１７は、曳舟本体１１の上面１３で且つ開口３８の後方に設けられている。また、通水路１７の奥壁には、収容室３７と通水路１７とを連通させる複数の小孔が設けられている。すなわち、通水路１７は、開口３８の後方において収容室３７から後方に延設されて、収容室３７を曳舟本体１１の外部に連通させる。鮎釣用曳舟１０が水中に沈められると、通水路１７を通じて水が収容室３７に注入される。また、鮎釣用曳舟１０の使用時には、収容室３７内の余分な水が通水路１７を通じて排出される。
【００２８】
通水路１７の上端を区画する上壁１８は、把持部としても機能する。例えば、釣人は、後方側から通水路１７内に挿入した手を上壁１８の内側に押し当てて鮎釣用曳舟１０を持ち上げることができる。さらに、上壁１８には、厚み方向に貫通する切欠き１９が設けられている。
【００２９】
給水孔２０〜２２は、船首前面に左右対称に設けられている。図１及び図３には、左舷側面に配置された給水孔２０〜２２が示されている。各給水孔２０〜２２は、上下方向に延びる細長の貫通孔からなる。排水孔２３〜２５は、曳舟本体１１の側面に左右対称に設けられている。図１〜図３には、左舷側面に配置された排水孔２３〜２５が示されている。各排水孔２３〜２５は、左舷及び右舷の側面に沿って前後方向に延びる細長の貫通孔からなる。
【００３０】
［蓋体１４］
【００３１】
曳舟本体１１の上面には、蓋体１４が取り付けられている。この蓋体１４は、開口３８を開閉する。蓋体１４は、中央に貫通孔を有する環状に構成されている。蓋体１４に設けられた貫通孔は、開口３８通じて収容室３７に連通する。また、蓋体１４には、貫通孔を開閉する観音開き式の扉１６が設けられている。
【００３２】
蓋体１４は、曳舟本体１１に対して回動可能に連結されている。具体的には、蓋体１４は、当該蓋体１４の後端部に設けられた回動軸３９（図４参照）の周りに回動する。すなわち、蓋体１４は、前端部を回動先端とし、後端部に設けられた回動軸３９を回動中心として、開口３８を閉塞する閉塞姿勢（図１参照）と、開口３８を開放する開放姿勢（図３参照）との間を回動可能に構成されている。釣人は、図３に示されるように、蓋体１４を開放姿勢にして開口３８を露出させることにより、容易に鮎を収容室３７に出し入れすることができる。
【００３３】
回動軸３９は、曳舟本体１１の上面１３で且つ開口３８の後方において、曳舟本体１１の左右方向に延設されている。回動軸３９の両端は、図４に示されるように、曳舟本体１１に設けられた一対の長孔４０に挿入されている。一対の長孔４０は、各々が前後方向に延設されており、且つ左右方向において互いに対向して配置されている。一対の長孔４０は、回動軸３９を回動可能で且つ前後方向に移動可能に支持する。すなわち、閉塞姿勢の蓋体１４は、後方位置（図５参照）と、後方位置より前方の前方位置（図６参照）とに、曳舟本体１１に対して相対移動可能に構成されている。すなわち、後方位置と前方位置とは、前後方向に離間した位置である。
【００３４】
回動軸３９には、図４に示されるように、ねじりコイルバネ４２（付勢部材の一例）が取り付けられている。ねじりコイルバネ４２は、一端が曳舟本体１１に当接され、他端が蓋体１４に当接されることによって、蓋体１４を前方位置に向けて弾性付勢すると共に、蓋体１４を開放姿勢に向けて弾性付勢する。
【００３５】
［ロック部４１］
【００３６】
蓋体１４の前端部（すなわち、回動先端部）には、図３に示されるように、ロック部４１が設けられている。ロック部４１は、図５に示されるように、蓋体１４が閉塞姿勢で且つ後方位置のときに曳舟本体１１に係合される。すなわち、ロック部４１は、後方位置の蓋体１４が閉塞姿勢から開放姿勢へ回動するのを規制する。一方、ロック部４１は、図６に示されるように、蓋体１４が前方位置のときに曳舟本体１１との係合が解除される。すなわち、ロック部４１は、前方位置の蓋体１４が回動するのを許容する。
【００３７】
［操作部４５］
【００３８】
蓋体１４の後端部には、操作部４５が設けられている。操作部４５は、釣人に操作されることによって、蓋体１４を後方位置に拘束する拘束状態（図５参照）と、蓋体１４の前後方向の移動を許容する許容状態（図６参照）とに状態変化が可能に構成されている。操作部４５は、その前端部が回動軸３９に回動可能に支持されている。すなわち、操作部４５は、前端部を回動基端部とし、後端部を回動先端部として、曳舟本体１１に対して回動可能に構成されている。
【００３９】
操作部４５の後端部（すなわち、回動先端部）は、図５に示される拘束状態において、曳舟本体１１に係止される。より詳細には、拘束状態の操作部４５の後端部は、上壁１８の切欠き１９内に設けられた係止軸４３に係止される。また、拘束状態の操作部４５の一部は、切欠き１９を通じて通水路１７に露出されている。一方、操作部４５の後端部は、図６に示される許容状態において、曳舟本体１１（より詳細には、係止軸４３）に対する係止が解除される。また、許容状態の操作部４５の一部は、上壁１８から上方に突出されている。
【００４０】
［安全ロック４６］
【００４１】
操作部４５の後方には、安全ロック４６が設けられている。安全ロック４６は、釣人に操作されることによって、操作部４５を拘束状態にロックするロック姿勢と、操作部４５の状態変化を許容する非ロック姿勢とに姿勢変化が可能に構成されている。安全ロック４６は、曳舟本体１１に回動可能に支持されている。また、安全ロック４６は、切欠き１９を通じて上壁１８の上面に露出される当接部４７を有する。
【００４２】
当接部４７は、安全ロック４６がロック姿勢のときに、拘束状態の操作部４５の上方を覆う位置に配置される。そして、当接部４７は、拘束状態から許容状態へ状態変化しようとする操作部４５の上面に当接して、当該状態変化を規制する。一方、当接部４７は、安全ロック４６が非ロック姿勢のときに、操作部４５の後方に退避して、状態変化する操作部４５の移動軌跡から外れた位置に配置される。
【００４３】
［蓋体１４の操作手順］
図５に示される鮎釣用曳舟１０において、蓋体１４を開放しようとする釣人は、通水路１７内に人差し指から小指までを入れて鮎釣用曳舟１０を持ち上げる。次に、図５の領域Ａ及び図６の領域Ａ’に示されるように、釣人は、通水路１７に挿入した手の親指で当接部４７を後方（図５の矢印８１の方向）に引き寄せて、安全ロック４６をロック姿勢から非ロック姿勢に姿勢変化させる。これにより、操作部４５の状態変化が可能になる。また、釣人は、通水路１７に挿入した指先で通水路１７に露出された操作部４５を押し上げる。これにより、上方（図５の矢印８２の方向）に回動された操作部４５は、拘束状態から許容状態に状態変化される。
【００４４】
その結果、図５の領域Ｂ及び図６の領域Ｂ’に示されるように、蓋体１４は、ねじりコイルバネ４２の付勢力によって後方位置から前方位置（図５の矢印８３の方向）に移動される。さらに、ロック部４１と曳舟本体１１との係合が解除された蓋体１４は、ねじりコイルバネ４２の付勢力によって、閉塞姿勢から開放姿勢（矢印８４の方向）に回動される。これにより、開口３８が開放されて、収容室３７に対して鮎を出し入れできる。
【００４５】
一方、図６に示される鮎釣用曳舟１０において、蓋体１４を閉じようとする釣人は、一方の手で蓋体１４を開放姿勢から閉塞姿勢（図６の矢印８５の方向）に回動させる。また、図５の領域Ａ及び図６の領域Ａ’に示されるように、釣人は、他方の手の親指（人差し指から小指までを通水路１７に挿入した手の親指）で上方に突出された操作部４５を押し下げる。これにより、下方（図６の矢印８６の方向）に回動された操作部４５は、許容状態から拘束状態に状態変化される。
【００４６】
その結果、図５の領域Ｂ及び図６の領域Ｂ’に示されるように、閉塞姿勢の蓋体１４は、操作部４５が許容状態から拘束状態に状態変化される過程において、ねじりコイルバネ４２の付勢力に抗して前方位置から後方位置（図６の矢印８７の方向）へ移動される。さらに、図５の領域Ａ及び図６の領域Ｂ’に示されるように、釣人は、通水路１７に挿入した手の親指で当接部４７を前方（図６の矢印８８の方向）に押し出して、安全ロック４６を非ロック姿勢からロック姿勢に姿勢変化させる。
【００４７】
［本実施形態の作用効果］
本実施形態によれば、鮎釣用曳舟１０を持ち上げる際に把持部となり得る通水路１７と操作部４５とが近接して配置されているので、釣人は、通水路１７を区画する上壁１８を把持した手で操作部４５を操作することができる。これにより、釣人が曳舟本体１１に手を掛けて持ち上げた状態であっても、当該手で蓋体１４の開閉を行うことができる。
【００４８】
より詳細には、通水路１７に露出された操作部４５を押し上げる操作のみによって、蓋体１４が後方位置から前方位置に移動されると共に、閉塞姿勢から開放姿勢に回動される。すなわち、簡単な操作で開口３８を開放することができる。また、蓋体１４を閉塞姿勢に回動させ且つ上方に突出された操作部４５を押し下げる操作によって、蓋体１４が閉塞姿勢に維持される。すなわち、簡単な操作で開口３８を閉塞させることができると共に、意図せずに蓋体１４が開放されることを抑制できる。
【００４９】
また、上記の実施形態によれば、安全ロック４６をロック姿勢にしておくことにより、例えば、鮎釣用曳舟１０を持ち上げるために通水路１７に挿入した指先が誤って操作部４５に触れたとしても、蓋体１４が開放されることない。すなわち、意図しない蓋体１４の開放を抑制することができる。
【００５０】
なお、上記の実施形態において、後方位置は第１位置の一例であり、前方位置は第２位置の一例である。しかしながら、前方位置を第１位置とし、後方位置を第２位置としてもよい。すなわち、ロック部４１は、蓋体１４が閉塞姿勢で且つ前方位置のときに曳舟本体１１に係合し、蓋体１４が後方位置のときに曳舟本体１１との係合が解除されるものであってもよい。
【００５１】
［変形例］
【００５２】
次に、図７〜図１０を参照して、変形例に係る鮎釣用曳舟１０Ａを説明する。なお、上記の実施形態と共通する構成には同一の参照番号を付して詳しい説明を省略し、相違点を中心に説明する。変形例に係る鮎釣用曳舟１０Ａは、ロック機構２７をさらに備える点において、上記の実施形態に係る鮎釣用曳舟１０と相違する。
【００５３】
ロック機構２７は、図７〜図１０に示されるように、蓋体１４に設けられている。このロック機構２７は、閉塞姿勢で且つ後方位置の蓋体１４が開放姿勢に回動するのを規制するものである。ロック機構２７は、曳舟本体１１に係合するロック部５０と、安全カバー２８とを備える。釣人は、これら安全カバー２８及びロック部５０を後述のように操作することによって、蓋体１４を開放することができるようになっている。
【００５４】
ロック部５０及び安全カバー２８は、図７及び図８に示されるように、蓋体１４の前端部に取り付けられている。ロック部５０は、図９に示されるように、略水平方向に延びる中央部５１と、この中央部５１から上方に延びる第１アーム部５２と、中央部５１から下方に延びる第２アーム部５３とを有する。これら中央部５１、第１アーム部５２、及び第２アーム部５３は、樹脂（典型的にはポロオキシメチレン（ＰＯＭ））により一体的に形成される。ただし、ロック部５０を構成する材料は、特に限定されるものではなく、可撓性を有する合成樹脂であれば種々のものが採用され得る。
【００５５】
ロック部５０は、支持軸５４に支持されている。この支持軸５４は、左右方向に沿って配置され、蓋体１４に固定されている。ロック部５０の中央部５１は、支持軸５４に嵌合する軸受部５５を備える。これにより、ロック部５０は、支持軸５４を中心にして蓋体１４に対して回動可能に構成されている。また、変形例に係る中央部５１には、ねじりコイルバネ５６が取り付けられている。このねじりコイルバネ５６は、中央部５１と支持軸５４との間に介在され、ロック部５０を図９の左回り（所定方向）に回動するように弾性的に付勢する。
【００５６】
したがって、図９に示されるように、蓋体１４が閉塞姿勢のときにロック部５０を左回りに回動させると、第２アーム部５３の下端部５７が曳舟本体１１に当接する。このように、第２アーム部５３の下端部５７が曳舟本体１１に当接したときのロック部５０の姿勢は、「第１姿勢」と定義される。変形例に係る下端部５７は、鍵状に形成されている。したがって、ロック部５０が第１姿勢になったとき、第２アーム部５３の下端部５７は、曳舟本体１１の所定部５８に係合する。
【００５７】
このロック部５０は、ねじりコイルバネ５６によって所定方向に回動するように弾性付勢されているから、例えば、釣人がロック部５０を操作して右方向（反所定方向）に回動させることも可能である。ロック部５０を右方向に回動させると、第２アーム部５３の下端部５７が曳舟本体１１の所定部５８から離反し、上記係合が解除される。このように、第２アーム部５３の下端部５７が曳舟本体１１から離反したときのロック部５０の姿勢は、「第２姿勢」と定義される。
【００５８】
ロック部５０の第１アーム部５２の上端部には、係合凸部５９が形成されている。この係合凸部５９は、右方向（上記反所定方向）に突出している。ロック部５０が第１姿勢となったときに、係合凸部５９は、蓋体１４の所定部（後述される係合凹部６０）と係合するようになっている。
【００５９】
安全カバー２８は、矩形の板状に形成されている。安全カバー２８は、支持軸６１に支持されている。この支持軸６１は、支持軸５４と同様に左右方向に沿って配置され、蓋体１４に固定されている。安全カバー２８の基端部６２は、この支持軸６１によって支持されている。安全カバー２８は、支持軸６１を中心にして回動し、俯仰動作が可能に構成されている。したがって、安全カバー２８は、図９に示されるように、左方向に回動倒伏してロック部５０を覆うことができる。また、安全カバー２８は、図１０に示されるように、右方向に回動起立してロック部５０を露出させることができる。
【００６０】
なお、図９に示されるように、安全カバー２８が倒伏した姿勢は、「倒伏姿勢」と定義される。また、図１０に示されるように、安全カバー２８が起立した姿勢は、「起立姿勢」と定義される。また、安全カバー２８が倒伏姿勢となるように、当該安全カバー２８を弾性的に回動付勢する部材（典型的にはねじりコイルバネ）が設けられていてもよい。
【００６１】
安全カバー２８の下面６３には、突片６４が形成されている。この突片６４は、安全カバー２８の下面６３に配置された帯状の部材である。この突片６４は、安全カバー２８と一体的に形成され、図９の紙面に垂直な方向に延びている。この突片６４は、同図に示されるように下向きに突出しており、その側面に係合凹部６０が形成されている。この係合凹部６０も図９の紙面に垂直な方向に延びている。
【００６２】
変形例に係る蓋体１４には、図９に示されるように、突起６６が設けられている。この突起６６は、蓋体１４と一体的に形成されている。突起６６は、同図において紙面に垂直な方向に延びる板状に形成されている。一方、安全カバー２８は、回動規制部６７を備えている。この回動規制部６７は、安全カバー２８の後端部に設けられている。この回動規制部６７は、安全カバー２８と一体的に形成されており、支持軸６１を中心として径方向外方に突出されている。突起６６及び回動規制部６７は、互いに係合する。突起６６及び回動規制部６７は、安全カバー２８を起立状態に保持する保持機構６８を構成する。
【００６３】
［蓋体１４の操作手順］
図７に示される蓋体１４は、後方位置で且つ閉塞姿勢である。この状態において、釣人は、安全カバー２８を起立姿勢に変化させることができる。このとき、安全カバー２８は、ロック部５０を第１姿勢に保持したままで第１アーム部５２を弾性変形させることによって、係合凸部５９から離脱する。これにより、釣人は、露出したロック部５０を摘むことができるようになる。また、図１０に示されるように、安全カバー２８が起立姿勢のときに、回動規制部６７が蓋１４に設けられた突起６６に乗り上げた状態となる。これにより、安全カバー２８は、倒伏する方向への回動が規制され、一定の保持力で当該起立姿勢に保持される。
【００６４】
次に、釣人は、第１アーム部５２の先端部を摘まんで右方向（反所定方向）に回動させることによって、図１０に示されるように、ロック部５０を第１姿勢から第２姿勢へ変化させる。このロック部５０は、支持軸５４の回りに回動自在となっているから、釣人は、この作業を片手で簡単に行うことができる。ロック部５０が第２姿勢に変化すると、蓋体１４が後方位置のままでも、第２アーム部５３の下端部５７と曳舟本体１１との係合が解除される。その結果、蓋体１４は、図８に示されるように、ねじりコイルバネ４２の付勢力によって、閉塞姿勢から開放姿勢に回動する。
【００６５】
一方、変形例に係る蓋体１４を開放姿勢から閉塞姿勢に回動させる際には、ロック機構２７を用いる必要はない。すなわち、釣人は、安全カバー２８を倒伏姿勢にした状態で、操作部４５を操作することによって、蓋体１４を閉じることができる。なお、図１０に示される安全カバー２８は、釣人によって強制的に倒伏する方向に回動されることにより、回動規制部６７が突起６６を乗り越えて両者の係合が解除されて、倒伏姿勢となる。
【符号の説明】
【００６６】
１０・・・鮎釣用曳舟
１１・・・曳舟本体
１４・・・蓋体
１７・・・通水路
１８・・・上壁
１９・・・切欠き
３７・・・収容室
３８・・・開口
４１・・・ロック部
４２・・・ねじりコイルバネ
４５・・・操作部
【図１】
0006358939.tif 000002
【図２】
0006358939.tif 000003
【図３】
0006358939.tif 000004
【図４】
0006358939.tif 000005
【図５】
0006358939.tif 000006
【図６】
0006358939.tif 000007
【図７】
0006358939.tif 000008
【図８】
0006358939.tif 000009
【図９】
0006358939.tif 000010
【図１０】
0006358939.tif 000011
【図１１】
0006358939.tif 000012
【図１２】
0006358939.tif 000013